(57)【要約】【課題】１回分として処方された錠剤数が多くて１包に分包する量が多くなった場合に、患者が飲みやすい適切量に分包されるように薬剤師に分包のパターンを簡単に選ばせること。【解決手段】錠剤を薬包紙に分包する分包部を備える分包装置に通信可能に接続され、該分包部において薬包紙に錠剤を分包する分包データを生成するコンピュータが、服用１回分の処方として薬包紙に分包する錠剤数を受け付け、受け付けた錠剤数が、コンピュータの記憶部に予め定義されている１包の薬包紙に分包すべき錠剤数を超過するかいなかを判定し、超過すると判定された場合には、受け付けた全数を１包の薬包紙に分包するか、あるいは受け付けた錠剤数を配分して複数包の薬包紙にそれぞれ分包するかいなかをユーザに選択させる第１の分割受付情報を通知する。 【選択図】  図１２
2014213116.tif 000002
【特許請求の範囲】
【請求項１】
錠剤を薬包紙に分包する分包部を備える分包装置に通信可能に接続され、該分包部において薬包紙に錠剤を分包する分包データを生成するコンピュータであって、
服用１回分の処方として薬包紙に分包する錠剤数を受け付ける錠剤数受付手段と、
前記受け付けた錠剤数が、前記コンピュータの記憶部に予め定義されている１包の薬包紙に分包すべき錠剤数を超過するかいなかを判定する錠剤数判定手段と、
前記錠剤数判定手段により超過すると判定された場合には、前記受け付けた全数を１包の薬包紙に分包するか、あるいは前記受け付けた錠剤数を配分して複数包の薬包紙にそれぞれ分包するかいなかをユーザに選択させる第１の分割受付情報を通知する第１の通知手段と、
を備えることを特徴とするコンピュータ。
【請求項２】
前記第１の分割受付情報を介して、前記受け付けた錠剤数を配分して複数包の薬包紙にそれぞれ分包するかいなかを受け付ける第１の分割受付手段と、
前記第１の分割受付手段により前記それぞれ分包しないと受け付けた場合には前記受け付けた全数を１包の薬包紙に分包する分包データを生成し、前記第１の分割受付手段により前記それぞれ分包すると受け付けた場合には前記受け付けた錠剤数を配分して複数包の薬包紙にそれぞれ分けて分包する分包データを生成する分包データ生成手段と、
前記生成した分包データに従って前記分包部が分包するように前記分包装置に分包指示する分包指示手段と、
をさらに備えることを特徴とする請求項１に記載のコンピュータ。
【請求項３】
服用１回分の処方として薬包紙に分包する錠剤種別と、当該錠剤種別数を受け付ける錠剤種別受付手段と、
前記第１の分割受付手段により前記それぞれ分包すると受け付けたあとに、前記受け付けた錠剤種別数が前記コンピュータに予め定義されている錠剤種別数を超過するかいなかを判定する錠剤種別判定手段と、
前記錠剤種別判定手段により予め定義されている錠剤種別数を超過すると判定された場合には、１包毎に錠剤種別が区分できるように前記受け付けた錠剤数を前記受け付けた錠剤種別毎に配分し、かつ前記錠剤種別毎に配分された錠剤数を複数包の薬包紙にそれぞれ分けて分包する分包データを生成する第２の分包データ生成手段と、
をさらに備えることを特徴とする請求項１または請求項２に記載のコンピュータ。
【請求項４】
前記分包装置は錠剤種別の名称を薬包紙に印字する印字部をさらに備え、
前記第２の分包データ生成手段が、１包毎に錠剤種別が区分できるように前記受け付けた錠剤数を前記受け付けた錠剤種別毎に配分し、かつ前記錠剤種別毎に配分された錠剤数を複数包の薬包紙にそれぞれ分けて分包する分包データを生成するとともに
１包毎に錠剤種別が区分できるように前記受け付けた全ての錠剤種別の名称を複数包の薬包紙にそれぞれ配分して印字する印字データを生成する印字データ生成手段と、
前記生成した印字データに従って前記印字部が印字するように前記分包装置に印字指示する印字指示手段と、
をさらに備えることを特徴とする請求項３に記載のコンピュータ。
【請求項５】
服用１回分の処方として薬包紙に分包する錠剤種別と、当該錠剤種別数を受け付ける錠剤種別受付手段と、
前記第１の分割受付手段により前記それぞれ分包しないと受け付けたあとに、前記受け付けた錠剤種別数が前記コンピュータに予め定義されている錠剤種別数を超過するかいなかを判定する錠剤種別判定手段と、
前記錠剤種別判定手段により超過すると判定された場合には、前記受け付けた全数を１包の薬包紙に分包するか、あるいは前記受け付けた錠剤数を配分して複数包の薬包紙にそれぞれ分包するかいなかをユーザに再び選択させる第２の分割受付情報を通知する第２の通知手段と、
前記第２の分割受付情報を介して、前記受け付けた錠剤数を配分して複数包の薬包紙にそれぞれ分包するかいなかを受け付ける第２の分割受付手段と、
前記第２の分割受付手段により前記それぞれ分包しないと受け付けた場合には、前記受け付けた全数を１包の薬包紙に分包する分包データを生成し、前記第２の分割受付手段により前記それぞれ分包すると受け付けた場合には、前記受け付けた錠剤数を配分して複数包の薬包紙にそれぞれ分けて分包する分包データを生成する分包データ生成手段と、
前記生成した分包データに従って前記分包部が分包するように分包指示する分包指示手段と、
をさらに備えることを特徴とする請求項１乃至請求項４のいずれか１項に記載のコンピュータ。
【請求項６】
錠剤を薬包紙に分包する分包部を備える分包装置に通信可能に接続され、該分包部において薬包紙に錠剤を分包する分包データを生成するコンピュータであって、
服用１回分の処方として薬包紙に分包する錠剤数を受け付ける錠剤数受付手段と、
前記受け付けた全数を１包の薬包紙に分包するか、あるいは前記受け付けた錠剤数を配分して複数包の薬包紙にそれぞれ分包するかをユーザに選択させる第１の分割受付情報を表示する第１の表示手段と、
前記第１の分割受付情報を介して、前記受け付けた錠剤数を配分して複数包の薬包紙にそれぞれ分包するかいなかを受け付ける第１の分割受付手段と、
前記第１の分割受付手段により前記それぞれ分包しないと受け付けた場合には前記受け付けた全数を１包の薬包紙に分包する分包データを生成し、前記第１の分割受付手段により前記それぞれ分包すると受け付けた場合には前記受け付けた錠剤数を配分して複数包の薬包紙にそれぞれ分けて分包する分包データを生成する分包データ生成手段と、
前記生成した分包データに従って前記分包部が分包するように前記分包装置に分包指示する分包指示手段と、
をさらに備えることを特徴とするコンピュータ。
【請求項７】
錠剤を薬包紙に分包する分包部を備え、該分包部において薬包紙に錠剤を分包する分包データを生成する分包装置であって、
服用１回分の処方として薬包紙に分包する錠剤数を受け付ける錠剤数受付手段と、
前記受け付けた錠剤数が、前記分包装置の記憶部に予め定義されている１包の薬包紙に分包すべき錠剤数を超過するかいなかを判定する錠剤数判定手段と、
前記錠剤数判定手段により超過すると判定された場合には、前記受け付けた全数を１包の薬包紙に分包するか、あるいは前記受け付けた錠剤数を配分して複数包の薬包紙にそれぞれ分包するかいなかをユーザに選択させる第１の分割受付情報を通知する第１の通知手段と、
を備えることを特徴とする分包装置。
【請求項８】
錠剤を薬包紙に供給する供給ユニットを備え、該供給ユニットから薬包紙に錠剤を供給する供給データを生成する錠剤供給装置であって、
服用１回分の処方として薬包紙に供給する錠剤数を受け付ける錠剤数受付手段と、
前記受け付けた錠剤数が、前記錠剤供給装置の記憶部に予め定義されている１包の薬包紙に供給すべき錠剤数を超過するかいなかを判定する錠剤数判定手段と、
前記錠剤数判定手段により超過すると判定された場合には、前記受け付けた全数を１包の薬包紙に供給するか、あるいは前記受け付けた錠剤数を配分して複数包の薬包紙にそれぞれ供給するかいなかをユーザに選択させる第１の分割受付情報を通知する第１の通知手段と、
を備えることを特徴とする錠剤供給装置。
【請求項９】
前記第１の選択受付情報を介して、前記受け付けた錠剤数を配分して複数包の薬包紙にそれぞれ供給するかいなかを受け付ける第１の分割受付手段と、
前記第１の分割受付手段により前記それぞれ供給しないと受け付けた場合には前記受け付けた全数を１包の薬包紙に供給する供給データを生成し、前記第１の分割受付手段により前記それぞれ供給すると受け付けた場合には前記受け付けた錠剤数を配分して複数包の薬包紙にそれぞれ分けて供給する供給データを生成する供給データ生成手段と、
前記生成した供給データに従って前記供給ユニットが供給するように供給指示する供給指示手段と、
をさらに備えることを特徴とする請求項８に記載の錠剤供給装置。
【請求項１０】
錠剤を薬包紙に分包する分包部を備え、該分包部において薬包紙に錠剤を分包する分包データを生成する分包装置であって、
服用１回分の処方として薬包紙に分包する錠剤数を受け付ける錠剤数受付手段と、
前記受け付けた全数を１包の薬包紙に分包するか、あるいは前記受け付けた錠剤数を配分して複数包の薬包紙にそれぞれ分包するかをユーザに選択させる第１の分割受付情報を表示する第１の表示手段と、
前記第１の分割受付情報を介して、前記受け付けた錠剤数を配分して複数包の薬包紙にそれぞれ分包するかいなかを受け付ける第１の分割受付手段と、
前記第１の分割受付手段により前記それぞれ分包しないと受け付けた場合には前記受け付けた全数を１包の薬包紙に分包する分包データを生成し、前記第１の分割受付手段により前記それぞれ分包すると受け付けた場合には前記受け付けた錠剤数を配分して複数包の薬包紙にそれぞれ分けて分包する分包データを生成する分包データ生成手段と、
前記生成した分包データに従って前記分包部が分包するように前記分包装置に分包指示する分包指示手段と、
を備えることを特徴とする分包装置。
【請求項１１】
錠剤を薬包紙に供給する供給ユニットを備え、該供給ユニットから薬包紙に錠剤を供給する供給データを生成する錠剤供給装置であって、
服用１回分の処方として薬包紙に供給する錠剤数を受け付ける錠剤数受付手段と、
前記受け付けた全数を１包の薬包紙に供給するか、あるいは前記受け付けた錠剤数を配分して複数包の薬包紙にそれぞれ供給するかをユーザに選択させる第１の分割受付情報を表示する第１の表示手段と、
前記第１の分割受付情報を介して、前記受け付けた錠剤数を配分して複数包の薬包紙にそれぞれ供給するかいなかを受け付ける第１の分割受付手段と、
前記第１の分割受付手段により前記それぞれ供給しないと受け付けた場合には前記受け付けた全数を１包の薬包紙に供給する供給データを生成し、前記第１の分割受付手段により前記それぞれ供給すると受け付けた場合には前記受け付けた錠剤数を配分して複数包の薬包紙にそれぞれ分けて供給する供給データを生成する供給データ生成手段と、
前記生成した供給データに従って前記供給ユニットが供給するように前記錠剤供給装置に供給指示する供給指示手段と、
を備えることを特徴とする錠剤供給装置。
【請求項１２】
錠剤を薬包紙に分包する分包部を備える分包装置に通信可能に接続され、該分包部において薬包紙に錠剤を分包する分包データを生成するコンピュータの制御方法であって、
前記コンピュータの錠剤数受付手段が、服用１回分の処方として薬包紙に分包する錠剤数を受け付ける錠剤数受付工程と、
前記コンピュータの錠剤数判定手段が、前記受け付けた錠剤数が、前記コンピュータに予め定義されている１包の薬包紙に分包すべき錠剤数を超過するかいなかを判定する錠剤数判定工程と、
前記コンピュータの第１の通知手段が、前記錠剤数判定工程により超過すると判定された場合には、前記受け付けた全数を１包の薬包紙に分包するか、あるいは前記受け付けた錠剤数を配分して複数包の薬包紙にそれぞれ分包するかいなかをユーザに選択させる第１の分割受付情報を通知する第１の通知工程と、
を含むことを特徴とする制御方法。
【請求項１３】
錠剤を薬包紙に分包する分包部を備える分包装置に通信可能に接続され、該分包部において薬包紙に錠剤を分包する分包データを生成するコンピュータで読み取り実行可能なプログラムであって、
前記コンピュータを、
服用１回分の処方として薬包紙に分包する錠剤数を受け付ける錠剤数受付手段と、
前記受け付けた錠剤数が、前記コンピュータに予め定義されている１包の薬包紙に分包すべき錠剤数を超過するかいなかを判定する錠剤数判定手段と、
前記錠剤数判定手段により超過すると判定された場合には、前記受け付けた全数を１包の薬包紙に分包するか、あるいは前記受け付けた錠剤数を配分して複数包の薬包紙にそれぞれ分包するかいなかをユーザに選択させる第１の分割受付情報を通知する第１の通知手段と、
して機能させることを特徴とするプログラム。
【発明の詳細な説明】
【技術分野】
【０００１】
本発明は、コンピュータ、分包装置、錠剤供給装置およびその制御方法とプログラムに関する。
【背景技術】
【０００２】
従来調剤業務においては、処方箋に記載されている全て錠剤を、錠剤供給装置から供給させて１包毎に１回分の服用を服用回数分（１日３回を７日分）だけ分包して患者に渡している。そのような調剤業務において、特許文献１のような技術が開示されている。
【０００３】
特許文献１には、錠剤カセットの錠剤が空になることで１包に包装する同一錠剤の製造履歴が異なってしまう場合には、製造履歴毎に分けた２包に分割して分包する技術が開示されている。
【先行技術文献】
【特許文献】
【０００４】
【特許文献１】ＷＯ２０１１／０５２７６６号公報
【発明の概要】
【発明が解決しようとする課題】
【０００５】
朝、昼、夕といった１回分として処方された錠剤が１包に分包されていると、特に高齢者等は１包分を間違って一度に飲もうとしていまい、もし多数の錠剤が１回分として処方されている場合には、服用しようとした錠剤が高齢者の喉に詰まって重傷事故を発生してしまうことがある。
【０００６】
特許文献１には、同一種類の錠剤の製造履歴を分けるために１包に包装するはずの錠剤を２包に分割して分包することが開示されているが、このような事故を想定した問題を解決する方法は何ら開示されていない。さらに患者が服用する状況に調剤業務が配慮したものでもない。
【０００７】
本発明は、１回分として処方された錠剤数が多くて１包に分包する量が多くなった場合に、患者が飲みやすい適切量に分包されるように薬剤師に分包のパターンを簡単に選ばせることができる仕組みを提供することを目的とする。
【課題を解決するための手段】
【０００８】
本発明は、錠剤を薬包紙に分包する分包部を備える分包装置に通信可能に接続され、該分包部において薬包紙に錠剤を分包する分包データを生成するコンピュータであって、服用１回分の処方として薬包紙に分包する錠剤数を受け付ける錠剤数受付手段と、前記受け付けた錠剤数が、前記コンピュータの記憶部に予め定義されている１包の薬包紙に分包すべき錠剤数を超過するかいなかを判定する錠剤数判定手段と、前記錠剤数判定手段により超過すると判定された場合には、前記受け付けた全数を１包の薬包紙に分包するか、あるいは前記受け付けた錠剤数を配分して複数包の薬包紙にそれぞれ分包するかいなかをユーザに選択させる第１の分割受付情報を通知する第１の通知手段と、を備えることを特徴とする。
【０００９】
また、前記第１の分割受付情報を介して、前記受け付けた錠剤数を配分して２包の薬包紙にそれぞれ分包するかいなかを受け付ける第１の分割受付手段と、前記第１の分割受付手段により前記それぞれ分包しないと受け付けた場合には前記受け付けた全数を１包の薬包紙に分包する分包データを生成し、前記第１の分割受付手段により前記それぞれ分包すると受け付けた場合には前記受け付けた錠剤数を配分して複数包の薬包紙にそれぞれ分けて分包する分包データを生成する分包データ生成手段と、前記生成した分包データに従って前記分包部が分包するように前記分包装置に分包指示する分包指示手段と、をさらに備えることを特徴とする。
【００１０】
また、服用１回分の処方として薬包紙に分包する錠剤種別と、当該錠剤種別数を受け付ける錠剤種別受付手段と、前記第１の分割受付手段により前記それぞれ分包すると受け付けたあとに、前記受け付けた錠剤種別数が前記コンピュータに予め定義されている錠剤種別数を超過するかいなかを判定する錠剤種別判定手段と、前記錠剤種別判定手段により予め定義されている錠剤種別数を超過すると判定された場合には、１包毎に錠剤種別が区分できるように前記受け付けた錠剤数を前記受け付けた錠剤種別毎に配分し、かつ前記錠剤種別毎に配分された錠剤数を複数包の薬包紙にそれぞれ分けて分包する分包データを生成する第２の分包データ生成手段と、をさらに備えることを特徴とする。
【００１１】
また、前記分包装置は錠剤種別の名称を薬包紙に印字する印字部をさらに備え、前記第２の分包データ生成手段が、１包毎に錠剤種別が区分できるように前記受け付けた錠剤数を前記受け付けた錠剤種別毎に配分し、かつ前記錠剤種別毎に配分された錠剤数を複数包の薬包紙にそれぞれ分けて分包する分包データを生成するとともに１包毎に錠剤種別が区分できるように前記受け付けた全ての錠剤種別の名称を複数包の薬包紙にそれぞれ配分して印字する印字データを生成する印字データ生成手段と、前記生成した印字データに従って前記印字部が印字するように前記分包装置に印字指示する印字指示手段と、をさらに備えることを特徴とする。
【００１２】
また、服用１回分の処方として薬包紙に分包する錠剤種別と、当該錠剤種別数を受け付ける錠剤種別受付手段と、前記第１の分割受付手段により前記それぞれ分包しないと受け付けたあとに、前記受け付けた錠剤種別数が前記コンピュータに予め定義されている錠剤種別数を超過するかいなかを判定する錠剤種別判定手段と、前記錠剤種別判定手段により超過すると判定された場合には、前記受け付けた全数を１包の薬包紙に分包するか、あるいは前記受け付けた錠剤数を配分して複数包の薬包紙にそれぞれ分包するかいなかをユーザに再び選択させる第２の分割受付情報を通知する第２の通知手段と、前記第２の分割受付情報を介して、前記受け付けた錠剤数を配分して複数包の薬包紙にそれぞれ分包するかいなかを受け付ける第２の分割受付手段と、前記第２の分割受付手段により前記それぞれ分包しないと受け付けた場合には、前記受け付けた全数を１包の薬包紙に分包する分包データを生成し、前記第２の分割受付手段により前記それぞれ分包すると受け付けた場合には、前記受け付けた錠剤数を配分して複数包の薬包紙にそれぞれ分けて分包する分包データを生成する分包データ生成手段と、前記生成した分包データに従って前記分包部が分包するように分包指示する分包指示手段と、をさらに備えることを特徴とする。
【発明の効果】
【００１３】
本発明により、１回分として処方された錠剤数が多くて１包に分包する量が多くなった場合に、患者が飲みやすい適切量に分包されるように薬剤師に分包のパターンを簡単に選ばせることができる仕組みを提供することが可能となる。
【図面の簡単な説明】
【００１４】
【図１】薬剤分包システム全体の外観を示す図。
【図２】錠剤供給装置の外観を示す図。
【図３】錠剤取出ユニットの内部構造を示す図。
【図４】錠剤取出ユニットの内部構造を示す図。
【図５】錠剤供給装置の内部構造を示す図。
【図６】錠剤供給ユニットの内部構造を示す図。
【図７】分包装置の内部構造を示す図。
【図８】分包装置の内部構造を示す図。
【図９】分包装置の外観を示す図。
【図１０】印字コンピュータ（または分包装置、錠剤供給装置）が表示する画面遷移図。
【図１１】印字レイアウトの例。
【図１２】各処方データの配分変更をするかいなかをユーザに選択させる画面。
【図１３】印字コンピュータ（または分包装置、錠剤供給装置）が実行する処方モード誘導処理のフローチャート。
【図１４】分包装置の印字動作で得られる印字モードの基本４バターン。
【図１５】分包装置の分包動作で得られる分包モードまたは錠剤供給装置の供給動作で得られる必要な供給モードの基本３パターン。
【図１６】分包装置の印字動作で得られる印字モード及び分包装置の分包動作で得られる分包モードを組み合わせた基本４パターン。
【図１７】印字コンピュータ（または分包装置、錠剤供給装置）が実行する処方データ作成処理のフローチャート。
【図１８】ユーザにより指定された各処方データの、供給、分包、印字動作の開始を指示するメイン画面。
【図１９】ユーザが各処方データの配分変更をはじめから指定する画面。
【図２０】各処方データの錠剤種別や錠剤数等を設定する画面。
【図２１】印字コンピュータ（または分包装置、錠剤供給装置）が実行する処方モード作成処理のフローチャート。
【図２２】印字コンピュータ（または分包装置の制御部、錠剤供給装置の制御部）のハードウエア構成図。
【発明を実施するための形態】
【００１５】
図１を説明する。
図１は、分包装置５と錠剤供給装置１０を示す図である。
錠剤供給装置１０及び錠剤供給装置１０から供給された錠剤を包装する分包装置５とで構成されている薬剤分包システムである。
【００１６】
錠剤供給装置１０は、複数の錠剤をそれぞれ錠剤収容部５２に封入した錠剤シート５１から錠剤５０を取り出して、取り出された錠剤を包装する分包装置５に供給する。
１は錠剤取出ユニットであり、錠剤シートから錠剤を押し出して取り出すユニットである。
【００１７】
錠剤供給装置には複数の錠剤取出ユニット１が収納されている。錠剤取出ユニットは、幅方向（左右方向）に６つが並べられ、この６つの錠剤取出ユニットからなる組が上下に３段に配置されている。すなわち、錠剤取出ユニット１は、左右６列、上下３段に配列されている。
錠剤供給装置１０は複数の錠剤取出ユニット１を備えているが、錠剤取出ユニット１の数は１でもよい。
５は薬剤分包装置であり、錠剤供給装置１０の錠剤取出ユニット１から供給された錠剤を包装する装置である。
分包装置５は錠剤を薬包紙に分包する分包部７０３を備えている。
分包装置５は錠剤種別の名称を薬包紙に印字する印字部７０６備えている。
【００１８】
また薬剤分包装置５は、手撒きの錠剤５０の収容部が複数配列されている錠剤マス１０３を備え、予め設定された分包数まで、錠剤マス１０３に投入される錠剤５０を錠剤マス毎に順次分包するように動作する。
【００１９】
１０は錠剤供給装置であり、錠剤取出ユニット１により錠剤シートから錠剤を取り出して供給する。錠剤供給装置１０は複数の錠剤取出ユニット１を備えている。
錠剤供給装置１０は、複数の錠剤をそれぞれ錠剤収容部に封入した錠剤シートから錠剤を取り出して供給する。
錠剤供給装置１０は、１または複数の錠剤取出しユニット１と、錠剤取出ユニット１で取り出された錠剤を供給する供給ユニットとを備えている。
【００２０】
１０３は錠剤供給装置１０を使用せずに薬剤分包装置５側で錠剤を包装したい場合に人の手によって錠剤が錠剤をセットされる錠剤マスである。錠剤供給装置１０からの錠剤と手撒き錠剤部からの錠剤を混合して１包にまとめることができる。手撒きの錠剤５０を１包毎に投入するためのものである。
【００２１】
錠剤マス１０３のみを錠剤供給装置にして錠剤シート５１から錠剤５０を手で取り出してから錠剤マス１０３に投入した手撒きの錠剤を、１包毎に包装する薬剤分包装置５に供給してもよい。
１０４はＬＣＤ操作パネルである。作業者による包装数等の入力や、スタートボタンにより包装動作の開始指示を受け付ける部分である。
ＬＣＤ操作パネル１０４は、錠剤マス１０３に手撒きの錠剤５０を投入すべきマス配列１９１２を案内するための錠剤マス画面１９０８を表示する。
２は薬剤分包装置５及び錠剤供給装置１０と制御コンピュータ３とが通信可能に接続する為の通信ケーブルである。
３は薬剤分包装置５及び錠剤供給装置１０と通信する制御コンピュータである。
なお、制御コンピュータ３が薬剤分包装置５の内部に内蔵されていてもよい。
４は制御コンピュータが処方データを受信するために通信する外部機器（調剤コントローラ）である。
図２を説明する。
図２は、錠剤供給装置１０を示す図である。
尚、錠剤供給装置１０を前面側から見た図である。
２０３は半端な数の錠剤が残っていない新品の錠剤シートの投入口である。
図３を説明する。
図３は、錠剤取出ユニット１の内部構造を示す図である。
尚、錠剤取出ユニット１を前面側から見た図である。
【００２２】
錠剤取出ユニット１は、錠剤シートを搬送する搬送機構と、搬送機構により搬送された錠剤シートが載置される載置台と、載置台上の錠剤シートの錠剤収容部を押圧して錠剤を取り出す押出し機構とを有している。
５１は半端な数の錠剤が残っていない新品の錠剤シートである。
【００２３】
錠剤シートは、錠剤を収容する錠剤収容部を有するシート本体の下面に、アルミニウム等からなる金属箔などを用いた封止シートを設けることによって錠剤を錠剤収容部に密封したものである。錠剤シートは、シート部上に凸状の錠剤収容部が幅方向に間隔をおいて２列に並んだ形態である。各列をなす複数の錠剤収容部は錠剤シートの長さ方向に沿って並んでいる。
【００２４】
なお、錠剤シートとしては、シート部上に錠剤収容部が２列に並んだ形態のものに限らず、錠剤収容部が錠剤シートの長さ方向に１列に並んだ形態や、錠剤収容部が幅方向に間隔をおいて３列以上の複数列に並んだ形態も可能である。
図４を説明する。
図４は、錠剤取出ユニット１の内部構造（断面）を示す図である。
錠剤シート投入口へシートをセットし、ＰＴＰシートを除包位置（錠剤の取出位置）まで搬送を行った際の図である。
【００２５】
錠剤取出ユニット１は、錠剤シートを搬送する錠剤シート搬送機構（搬送機構）と、錠剤シートが載置される載置台１８と、半端な数の錠剤が残っていない新品の錠剤シートから錠剤を取り出す錠剤取出機構（押出し機構）とを備えている。
３９は下部ローラである。
【００２６】
錠剤シート搬送機構は、錠剤シートを進行方向に向け搬送するものであって、進行方向に互いに間隔をおいて設けられた下部ローラと、進行方向に互いに間隔をおいて設けられた上部ローラとを備えている。
【００２７】
搬送機構３９は、錠剤収容部の押圧を継続するまえに載置台上の押圧される位置から所定の距離だけ錠剤シートをさらに搬送し、押出し機構が、錠剤収容部の押圧を継続（リトライ）する。
下部ローラは駆動源により回転駆動可能であり、シート部の下面に当接して錠剤シートに進行方法への力を加えることができる。
上部ローラは、駆動源により回転駆動可能であり、シート部の上面に当接して錠剤シートに進行方向への力を加えることができる。
上部ローラの幅方向の位置は、２列の錠剤収容部の間に相当する位置であるため、上部ローラは錠剤収容部５２に当接することはない。
【００２８】
下部ローラと上部ローラはシート部を上下から挟み込んで錠剤シートを進行方向に搬送できる。さらに下部ローラと上部ローラはシート部を上下から挟み込んで錠剤シート５１を進行方向とは逆の方向にも搬送できる。
２４は導入シュートである。
導入シュート２４により半端な数の錠剤が残っていない新品の錠剤シートから押出し機構により取り出された錠剤が供給される（シート錠剤供給機構）。
導出シュート２４は、排出口３０に落とし込まれた錠剤を導くものであって、排出口３０を含む大きさの上部開口を有し、載置台の下面側に設けられている。
錠剤取出しユニットは、載置台上の錠剤シートの錠剤収容部を押圧する速度を変更させる変更機構をさらに有している。
押出し機構は、より高速に変更された速度で錠剤収容部の押圧を継続（リトライ）する。
押出し機構は、錠剤収容部の中央付近を押圧する内側押圧体８３と、中央付近よりも外側の部分を押圧する外側押圧体８４とを含んでいる。
内側押圧体と外側押圧体とが独立して動作することで錠剤収容部を押圧して錠剤を取り出す。
押出し機構は、内側押圧体よりも先に外側押圧体により錠剤収容部を押圧させる。
【００２９】
８３は内側押圧体である。内側押圧体の先端は、ほとんどの錠剤シートの錠剤収容部よりも面積が狭いので、内側押圧体は錠剤を取り出す場合（下降した場合）に、錠剤シートに開いた穴から先端が突き出る。
【００３０】
８４は外側押圧体である。外側押圧体の先端は、ほとんどの錠剤シートの錠剤収容部よりも面積が広いので、錠剤を取り出す場合（下降した場合）に、錠剤シートに開いた穴から先端が突き出ない。つまり錠剤シートの錠剤収容部を押し潰すためのものである。
錠剤取出機構（押出し機構）は、外側押圧体を昇降させる第１昇降機構と、内側押圧体を昇降させる第２昇降機構とを有する。
【００３１】
第１昇降機構は、外側押圧体が取り付けられた第１昇降体と、回転駆動して第１昇降体を昇降させるカムと、第１昇降体を上昇方向に付勢する付勢部材（ばね）とを備えている。
【００３２】
第１昇降体は、前後方向にわたって延在する柱状体であり、前端部に外側押圧体が取り付けられている。カムは、外側押圧体の昇降動作を考慮して設計された形状の板状体であり、図示せぬ駆動機構によって回転駆動する軸部に固定されている。カムは、第１昇降体の上面側に設けられ、軸部の回転に伴って回転駆動し、第１昇降体を押圧することによって高さ位置を調整し、これによって外側押圧体の高さ位置を調整することができる。第１昇降機構は、カムの回転動作のタイミング、カムの形状、軸部に対するカムの固定位置などの設定によって、外側押圧体の昇降動作のタイミングや変位量を任意に設定できる。
【００３３】
第２昇降機構は、内側押圧体が取り付けられた第２昇降体と、回転駆動して第２昇降体を昇降させるカムと、第２昇降体を上昇方向に付勢する付勢部材（ばね）とを備えている。
【００３４】
第２昇降体は、前後方向にわたって延在する柱状体であり、前端部に内側押圧体が取り付けられている。カムは、第２昇降体の上面側に設けられ、軸部の回転に伴って回転駆動し、第２昇降体を押圧して高さ位置を調整し、これによって内側押圧体の高さ位置を調整することができる。第２昇降機構は、カムの回転動作のタイミング、カムの形状、軸部に対するカムの固定位置などの設定によって、内側押圧体の昇降動作のタイミングや変位量を任意に設定できる。
【００３５】
このため、カム９４とカム９９は、それぞれ第１昇降体と第２昇降体に対して互いに独立に動作可能であり、内側押圧体と外側押圧体は、互いに独立に昇降動作させることができる。
【００３６】
錠剤取出機構における２つのカムの回転動作のタイミング等は、錠剤位置検出機構の検出部からの信号に基づいて定めることができる。具体的には、検出された錠剤収容部の位置に合わせて内側押圧体と外側押圧体を動作させることができる。
錠剤取出ユニット１は、錠剤収容部の押圧をするまえに、押圧される錠剤収容部の長さを検出する検出機構１７をさらに有している。
錠剤供給装置１０は、検出した錠剤収容部の長さに基づいて所定の距離を算出する算出部をさらに有している。
検出機構１７は、押圧される錠剤収容部の長さを検出するとともに押圧される錠剤収容部の位置をさらに検知する。
錠剤供給装置１０は、検知された錠剤収容部の位置に基づいて、押圧される位置までの搬送距離を算出する算出部をさらに有する。
搬送機構３９は、搬送距離により載置台上の錠剤収容部が押圧される位置まで錠剤シートを搬送する。
搬送機構３９は、所定の距離だけ前方または後方に錠剤シートを搬送する。
図５を説明する。
図５は、錠剤供給装置１０の内部構造を示す図である。
尚、錠剤供給装置１０を背面側から見た図である。
【００３７】
２０４は、光学センサ（ビームセンサ）であり、落下物を検知するものである。除包された錠剤が排出ホッパ（導入シュート）内を落下する際、除包された錠剤がビームセンサ上を通過し、ビームセンサを遮光する。このビームセンサが遮光された状態をＯＮ状態とし、遮光されていない状態をＯＦＦ状態とする。このＯＮ／ＯＦＦ状態を用いて落下物の判定を行っている。
錠剤落下検知機構２０４は、光学センサと落下錠剤カウンタとを有する。
錠剤供給装置１０は、押圧により錠剤収容部から錠剤が取り出されたかいなかを判定するべく、取り出された錠剤を検知する検知機構２０４を有している。
錠剤供給装置１０は、錠剤収容部から取り出された錠剤の個数を計数（カウント）するべく、取り出された錠剤を検知する検知機構２０４を有している。
【００３８】
錠剤供給装置１０は、検知機構２０４が、所定の個数を超えた取り出された錠剤の個数を計数した場合には、薬剤分包装置５にエラー処理を実行させるべく要求するエラー処理要求部を有する。
薬剤分包装置５にエラー処理を実行させるべく要求するエラー処理要求工程。
錠剤供給装置１０は、押出し機構が押圧動作中であるかいなかを判断する判断部をさらに有する。
【００３９】
検知機構２０４は、判断部により押圧動作中であると判断されている場合には、錠剤収容部から取り出された錠剤の個数を計数することで、押圧動作による異物の混入を検知する。
検知機構２０４は、判断部により押圧動作中であると判断されている場合には、所定の個数を少なくとも１に設定する。
【００４０】
検知機構２０４は、判断部により押圧動作中ではないと判断されている場合には、錠剤収容部から取り出された錠剤の個数を計数することで、押圧動作によらない取出しミスを検知する。
検知機構２０４は、判断部により押圧動作中ではないと判断されている場合には、所定の個数を０に設定することを特徴とする。
【００４１】
押出し機構は、取り出された錠剤が検知されない場合には錠剤収容部の押圧を継続（リトライ）し、取り出された錠剤が検知された場合には錠剤収容部の押圧を継続（リトライ）しない。
４０１は、錠剤導入路である。錠剤シートから取り出され落下した錠剤を導入シュート２４から第１集積ホッパに中継する。
図６を説明する。
図６は、錠剤供給路４００の内部構造を示す図である。
４０２は第１集積ホッパである。錠剤シートから取り出され落下した錠剤を集積する。
５０１は第２集積ホッパである。第１集積ホッパで集積された錠剤をさらに集積する。
５０２は第１の送り出し機構である。第２集積ホッパで集積された錠剤を第３の集積ホッパに移動させる。
５０３は第３集積ホッパである。送り出された錠剤を集積する。
５０４は第２の送り出し機構である。第３集積ホッパで集積された錠剤をメインホッパに移動させる。
５０５はメインホッパである。送り出された錠剤を集積し、包装シート（分包紙）の中に集積した錠剤を投入する。
図７を説明する。
図７は、薬剤分包ユニット７０１の内部構造を示す図である。
７０２は包装シートが連なるロール紙を包装機構に送り出すロール紙送出機構である。
７０３は加熱溶着により、包装シートの中に投入された錠剤を包装シートの中に封入する（包装機構）。
７０４は加熱溶着により、包装シートの中に投入された錠剤を包装シートの中に封入する（包装機構）。
【００４２】
包装機構は、シート錠剤供給機構または手撒き錠剤供給機構９０１の少なくとも１つから供給された１包に包装される数の錠剤を１包毎の包装シートに包装（分包）する。
７０５は、連なるロール紙を１包毎の包装シートに分断するための分断用ミシン目を包装シートに形成する。（分断機構）
７０６はプリンタであり、包装シート（薬包紙）に、日付、患者データ、エラー情報を印字する（印字機構）。
薬剤分包装置５は、コンピュータ３からの要求を受け付ける受付部を有している。
薬剤分包装置５は、取り出された錠剤を個別の包装シート毎に分けて包装する包装機構７０４を有している。
薬剤分包装置５は、個別の包装シート毎の情報を印字する印字機構７０６を有している。
印字機構７０６は、受付部が要求を受け付けた場合に、所定の個数を超えた錠剤が包装されている個別の包装シートにエラー処理にかかる情報を印字する。
エラー処理にかかる情報とは、押圧動作による異物の混入を報知する情報である。
エラー処理にかかる情報とは、押圧動作によらない取出しミスを報知する情報である。
薬剤分包装置５または錠剤供給装置１０のいずれか１方は、取り出された錠剤が、包装機構７０４よりに包装されるタイミングを制御する制御部を有している。
前記印字機構が、前記包装機構により前記取り出された錠剤が包装シートに包装されるまえに印字する錠剤供給システム。
図８を説明する。
図８は、薬剤分包ユニット７０１の内部構造を示す図である。
８０１は隣り合う一包化された包装シートの境界部分に形成された分断用ミシン目である。
８０２は一包化された包装シートである。エラー処理が発生した包装シートにはエラー情報の内容が印字（印刷）されている。
５０は一包化された錠剤である。
図９を説明する。
図９は薬剤分包装置５を上方から見た図である。
薬剤分包装置５の上部にある手撒き錠剤部１０３とそれを構成する錠剤マスの拡大図である。
９０１は手撒きによる錠剤をセットする１個の錠剤マス（ここでは４番目のマス）である。
【００４３】
錠剤マスは手撒きの錠剤をセットして、包装することが出来る。一番左上のマスが１包目に包装されるマスであり、その１つ下のマスが２包目、その下が３包目、１つ右の列に移動してその一番上のマスが４包目・・・と、左上から順に包装動作を行う。包装動作時に、同時に薬剤や錠剤供給装置１０を組み合わせて包装して１包化する事が出来る。
予め半端な数の錠剤が残っている錠剤シートから取り出されている錠剤を供給する。
５０は錠剤（３錠）である。
図１０を説明する。
印字ソフトウエアの、画面遷移図である。
画面１００１は、印字ソフトウエアの操作メイン画面（図１８）である。
画面１００２は、処方編集ボタン１８０３の押下により呼び出される、処方データ設定画面（図１９）である。
画面１２０１は、処方データの選択後に予約ボタン１８０４の押下により表示される、配分変更の選択画面（図１２）である。
図１１を説明する。
印字ソフトウエアの操作画面１００３上でユーザが設定する印字レイアウトの１例を示した図である。
１１０１は、入力された患者名が印字される領域である。例えば、患者名をテスト  太郎と入力した場合は１１０１の位置にテスト  太郎と分包紙に印字する。
１１０２は、印字範囲の縦幅である。
【００４４】
１１０３は、印字範囲の横幅である。横幅は、作業者が１包に分包する薬剤量を元に設定することが出来る。薬剤量が少ない場合は少ない紙幅を選択して、分包紙の節約を行うことが出来る。また、薬剤量が多い場合は、紙幅を大きくして１包内に正しく分包できるようにすることが出来る。紙幅は、８０ｍｍや９０ｍｍなどを１００３の画面で設定することが出来る。
【００４５】
１１０４は、１包内に分包されている錠剤種別毎の名称（セルベックスカプセル等）を印字する領域である。例えば、錠剤種別名１、錠剤種別名２、錠剤種別名３、と入力した場合には錠剤種別名１〜３が下方向へ向かって順番に並べて分包紙へ印字する。
【００４６】
１１０５は、入力された用法の服用時を印字する領域である。例えば、用法が分３毎食後を選択した場合、朝服用の分包紙には朝食後、昼服用の分包紙には昼食後、夕服用の分包紙には夕食後と１１０５の位置に印字する。
【００４７】
服用日とは、服用する日（年、月、日等）を印字する領域である。例えば、２月１日と入力された服用日は用法内容ごとにカウントアップしていく。その服用日を１１０６の位置にそれぞれ印字する。
図１２を説明する。
印字コンピュータ３が表示する、各処方データの配分変更をするかいなかを薬剤師に選択させる画面の２パターンを示したものである。
【００４８】
１２０１は、１回分で服用する錠剤数が多いので配分して分包するいなかを選択する画面である。服用する錠剤数を複数包（２包以上）に配分して分包するかいなかを選択させるために表示する。
図の例ではラジオボタンにより『配分して分包する』が選択された状態を示している。その後決定ボタンが押下されることにより選択が確定する。
例えば１回分で服用する錠剤トータル数が８錠の場合には、１包当たりの錠剤数を４錠づつにして２包に均等配分する。
例えば１回分で服用する錠剤トータル数が１２錠の場合には、１包当たり４錠づつにして３包に均等配分する。
【００４９】
１２０２は、１回分で服用する錠剤種別の数が多いので配分して分包するいなかを選択する画面である。服用する錠剤種別毎に複数包（２包以上）に分類して分包するかいなかを選択させるために表示する。
図の例ではラジオボタンにより『分類して分包する』が選択された状態を示している。その後決定ボタンが押下されることにより選択が確定する。
例えば１回分で服用する錠剤種別のトータル数が４種類の場合には、１包当たりの錠剤種別を２種類づつにして２包に均等分類する。
例えば１回分で服用する錠剤種別のトータル数が６種類の場合には、１包当たり２種類づつにして３包に均等分類する。
図１３を説明する。
図１３は印字コンピュータが実行するフローチャートの図である。
【００５０】
メイン画面（図１８）の処方データの一覧リスト１８０１から、各処方データが既に登録（入力）済み１つの処方データ１０１０が指定された状態で、予約ボタン１０１１が押下されると、以下の処理が始まる。
ステップＳ１３０１では分包モードＮｏ、印字モードＮｏの変数を空欄にした表をＲＡＭ２５０３に作成（記憶）する。
【００５１】
ステップＳ１３０２では図２０により受け付けたトータル錠剤数が、コンピュータの記憶部に予め定義されている１包の薬包紙に分包すべき推奨としての上限錠剤数（例えば６個）を超過するかいなかを判定する（錠剤数判定手段）。
【００５２】
ステップＳ１３０３ではＳ１３０２で超過する（ＹＥＳ）と判定された場合に、受け付けた全数（トータル錠剤数）を１包の薬包紙に分包するか、あるいは受け付けた錠剤数を配分して複数包の薬包紙にそれぞれ分包するかいなかをユーザに選択させる第１の分割受付画面１２０１を通知する（第１の通知手段）。
【００５３】
ステップＳ１３０４では決定ボタンが押下されたかの判断分岐である。決定ボタンが押下された場合はＳ１３０５へ遷移し、押下されない場合はＳ１３０４へ遷移する。
【００５４】
ステップＳ１３０５では第１の分割受付画面１２０１を介してユーザが選択したラジオボタンの結果から、受け付けた錠剤数を配分して複数包の薬包紙にそれぞれ分包する（ＹＥＳ）かいなか（ＮＯ）を受け付ける（第１の分割受付手段）。
【００５５】
ステップＳ１３０６ではＳ１３０５でそれぞれ分包しない（ＮＯ）と受け付けた場合には受け付けた全数を１包の薬包紙に分包する分包データ（分包モード＝０のパターン）を決定する（分包データ生成手段）。分包モード＝０をＳ１３０１で作成したＲＡＭの変数表に記憶する。
さらにＳ１３１０でそれぞれ分包しない（ＮＯ）と受け付けた場合は、受け付けた全数を１包の薬包紙に分包する分包データのままである。
【００５６】
ステップＳ１３０７ではステップＳ１３０５でそれぞれ分包しない（ＮＯ）と受け付けたあとに、受け付けた錠剤種別数がコンピュータに予め定義されている錠剤種別数を超過するかいなかを判定する（錠剤種別判定手段）。
【００５７】
ステップＳ１３０８ではＳ１３０７で超過する（ＹＥＳ）と判定された場合には、受け付けた全数を１包の薬包紙に分包するか、あるいは受け付けた錠剤数を配分して複数包の薬包紙にそれぞれ分包するかいなかをユーザに再び選択させる第２の分割受付画面１２０２を通知する（第２の通知手段）。
【００５８】
ステップＳ１３０９では決定ボタンが押下されたかの判断分岐である。決定ボタンが押下された場合はＳ１３１０へ遷移し、押下されない場合はＳ１３０９へ遷移する。
【００５９】
ステップＳ１３１０では第２の分割受付画面１２０２を介して、受け付けた錠剤数を配分して複数包の薬包紙にそれぞれ分包する（ＹＥＳ）かいなか（ＮＯ）を受け付ける（第２の分割受付手段）。
ステップＳ１３１１では印字モード＝３をＳ１３０１で作成したＲＡＭの変数表に記憶する。
ステップＳ１３１２では印字モード＝０をＳ１３０１で作成したＲＡＭの変数表に記憶する。
【００６０】
ステップＳ１３１３ではＳ１３０５でそれぞれ分包する（ＹＥＳ）と受け付けた場合には受け付けた錠剤数を均等になるように配分して複数包の薬包紙にそれぞれ分けて分包する分包データ（分包モード＝１のパターン）を決定する（分包データ生成手段）。分包モード＝１をＳ１３０１で作成したＲＡＭの変数表に記憶する。
【００６１】
ステップＳ１３１４ではＳ１３０５でそれぞれ分包する（ＹＥＳ）と受け付けたあとに、受け付けた錠剤種別数がコンピュータの記憶部に予め定義されている錠剤種別数を超過するかいなかを判定する（錠剤種別判定手段）。
【００６２】
ステップＳ１３１５ではＳ１３１４で予め定義されている錠剤種別数を超過する（ＹＥＳ）と判定された場合には、１包毎に錠剤種別が区分できるように受け付けた錠剤数を受け付けた錠剤種別毎に配分し、かつ錠剤種別毎に配分された錠剤数を複数包の薬包紙にそれぞれ分けて分包する分包データ（分包モード＝２のパターン）を生成する（第２の分包データ生成手段）。さらにＳ１３１０でそれぞれ分包する（ＹＥＳ）と受け付けた場合には、分包データ（分包モード＝２のパターン）を決定する。分包モード＝２をＳ１３０１で作成したＲＡＭの変数表に記憶する。
【００６３】
ステップＳ１３１６では１包毎に錠剤種別が区分できるように受け付けた全ての錠剤種別の名称を複数包の薬包紙にそれぞれ配分して印字する印字データ（印字モード＝２のパターン）を生成する（印字データ生成手段）。印字モード＝２をＳ１３０１で作成したＲＡＭの変数表に記憶する。
【００６４】
分包も患者が１包で飲みやすい数に分配するのであれば、ついでに印字データも患者が分配状況に合わせて分割することで、分かり易い印字と飲みやすい分包の両方の面で有効に利用することができる。
ステップＳ１３５０では印字モード＝１をＳ１３０１で作成したＲＡＭの変数表に記憶する。
図１４を説明する。
図１４の各図は分包装置による印字動作に必要な、印字データを示す図である。
【００６５】
１４０１のパターンは、Ｓ１３１２で生成される印字データ（印字モード＝０のパターン）である。錠剤種別名を整列させて１包に全ての錠剤を分包した場合に印字させる印字データを表している。
【００６６】
１４０２のパターンは、Ｓ１３１４で生成される印字データ（印字モード＝１のパターン）である。同一の錠剤種別を複数包に均等配分する場合に印字させる印字データを表している。
【００６７】
１４０３のパターンは、Ｓ１３１６で生成される印字データ（印字モード＝２のパターン）である。錠剤種別毎に分類して複数包に分包する場合に印字させる印字データを表している。
【００６８】
１４０４のパターンは、Ｓ１３１１で生成される印字データ（印字モード＝３のパターン）である。錠剤種別名４が右側の領域に逃げて印字させる印字データを表している。
図１５を説明する。
図１５の各図は分包装置による分包動作に必要な、分包データを示す図である。
また各図は錠剤供給装置による供給動作に必要な、供給データを示す図でもある。
【００６９】
１５０１のパターンは、Ｓ１３０６で生成される分包データ（分包モード＝０のパターン）である。１回で服用する全ての錠剤を１包に分包した場合の分包データを表している。
【００７０】
例えば、セルベックスカプセル１錠、ティーエスワン配合カプセル１錠、ネオドパストン錠１錠の計３錠が１回で服用するとして１包に分包（供給）されるデータである。
【００７１】
１５０２のパターンは、Ｓ１３１３で生成される分包データ（分包モード＝１のパターン）である。１回で服用する錠剤を２包に均等配分して分包した場合の分包データを表している。なお本実施例では２包に均等配分しているが３包以上に均等配分してもよい。
例えば、セルベックスカプセル８錠が１回で服用するとして処方されたが、飲みやすいように２包に４錠ずつ分包（供給）されるデータである。
【００７２】
１５０３のパターンは、Ｓ１３１５で生成される分包データ（分包モード＝２のパターン）である。１回で服用する錠剤を２包に配分して、かつ錠剤種別毎に分類して分包した場合の分包データを表している。なお本実施例では２包に分類しているが３包以上に分類してもよい。
【００７３】
例えば、セルベックスカプセル２錠、ティーエスワン配合カプセル１錠、ネオドパストン錠１錠の計３錠が１回で服用するとして処方されたが、飲みやすいように２包に２錠ずつ分包（供給）され、かつ何を飲んだのかを識別しやすいようにセルベックスカプセル２錠と、ティーエスワン配合カプセル１錠＋ネオドパストン錠１錠を分類して分包（供給）されるデータである。
【００７４】
１５０４のパターンは、Ｓ１３１５で生成される分包データ（分包モード＝２のパターン）である。１回で服用する錠剤を２包に配分して、かつ錠剤種別毎に分類して分包した場合の分包データを表している。
【００７５】
例えば、セルベックスカプセル４錠、ティーエスワン配合カプセル２錠、ネオドパストン錠１錠の計７錠が１回で服用するとして処方されたが、飲みやすいように２包に４錠と３錠ずつ分包（供給）され、かつ何を飲んだのかを識別しやすいようにセルベックスカプセル４錠と、ティーエスワン配合カプセル２錠＋ネオドパストン錠１錠を分類して分包（供給）されるデータである。
【００７６】
さらにネオドパストン錠は１錠のサイズが大きいので、錠剤種別毎の１錠のサイズ（例えば長さや幅、直径等）を薬品マスタにデータベースとして登録をしておけば、錠剤種別のサイズ毎に１錠あたりの大きさを考慮して複数包にそれぞれ配分する錠剤数と錠剤種別を決定してもよい。
【００７７】
さらに処方が朝食後セルベックスカプセル８錠で、昼食後にセルベックスカプセル４錠の場合には、朝食後に服用する分は２包に均等配分し、昼食後に服用する分は１包に全数を分包するなど、１回で服用する錠剤数毎に、均等配分するかしないかを切り替えてもよい。
図１６を説明する。
図１６の各図は分包装置による印字と分包された最終結果を示す図である。
【００７８】
１６０１のパターンは、Ｓ１３１２で生成される印字データ（印字モード＝０のパターン）とＳ１３０６で生成される分包データ（分包モード＝０のパターン）の組み合わせにより印字と分包された最終結果である。
【００７９】
１６０２のパターンは、Ｓ１３１４で生成される印字データ（印字モード＝１のパターン）とＳ１３１３で生成される分包データ（分包モード＝１のパターン）の組み合わせにより印字と分包された最終結果である。
【００８０】
１６０３、１６０４のパターンは、Ｓ１３１６で生成される印字データ（印字モード＝２のパターン）とＳ１３１５で生成される分包データ（分包モード＝２のパターン）の組み合わせにより印字と分包された最終結果である。
【００８１】
１６０５のパターンは、Ｓ１３１１で生成される印字データ（印字モード＝３のパターン）とＳ１３０６で生成される分包データ（分包モード＝０のパターン）の組み合わせにより印字と分包された最終結果である。
図１７を説明する。
図１７は印字コンピュータが実行するフローチャートの図である。
ステップＳ１３１７では決定した分包モードＮｏ、印字モードＮｏの両方の変数（モード番号）をＲＡＭ２５０３の表から読み出す。
ステップＳ１３１８では読み出した、分包モード変数（モード番号）から最終的な分包データを作成する。
ステップＳ１３１９では読み出した、印字モード変数（モード番号）から最終的な印字データを作成する。
【００８２】
ステップＳ１３２０では処方データが選択されたかの判断分岐である。予約リスト１８０５から処方データが選択された場合はＳ１３２１へ遷移し、押下されない場合はＳ１３２０へ遷移する。
【００８３】
ステップＳ１３２１ではスタートボタン１８０２が押下されたかの判断分岐である。スタートボタンが押下された場合はＳ１３２２へ遷移し、押下されない場合はＳ１３２１へ遷移する。
ステップＳ１３２２ではＳ１３１８で生成した分包データに従って分包部が分包するように分包装置に分包指示する（分包指示手段）。
さらにＳ１３１９で生成した印字データに従って印字部が印字するように分包装置に印字指示する（印字指示手段）。
なお、Ｓ１３１８で生成した供給データに従って錠剤供給ユニットが供給するように錠剤供給装置にも供給指示してもよい（供給指示手段）。
ステップＳ１３２３では供給指示を受けた錠剤供給装置が動作を開始する。印字と分包指示を受けた分包装置が動作を開始する。
図１８を説明する。
図１８はメイン操作画面である。
【００８４】
１８０１は処方データリストである。ユーザが処方データリスト１８０１から処方データ（処方１等）を選択してから処方編集ボタン１８０３が押下されると、選択された処方データを編集または設定するために処方編集画面（図１９）に遷移する。
【００８５】
１８０２はスタートボタンである。ユーザが予約リスト１８０５から処方データ（予約１等）を選択し、スタートボタンが押下されると、選択された処方データに従って錠剤供給装置１０には除包供給データとともに実行開始コマンドを送信し、分包装置５には手撒き供給データ、分包データ、印字データとともに各実行開始コマンドを送信し
【００８６】
１８０５は予約リストである。ユーザが処方データリスト１８０１から処方データ（処方１等）を選択し、予約ボタン１８０４が押下されると、選択された処方データが予約リスト１８０５に追加される。
図１９を説明する。
図１９は、処方編集画面の処方画面である。
１９００は、処方タブである。タブが選択されると図１９を表示する。
【００８７】
１９０１は、図２０で受け付けた全数を１包の薬包紙に分包するか、あるいは受け付けた錠剤数を配分して複数包の薬包紙にそれぞれ分包するかをユーザに選択させる第１の分割受付情報（チェックマーク）を表示している（第１の表示手段）。図１９のように（チェックマーク）がありの場合には、受け付けた錠剤数を配分して複数包の薬包紙にそれぞれ分包するＳ２２１１以降の処理に移行する。（チェックマーク）なしの場合には、受け付けた全数を１包の薬包紙に分包するＳ２２０５以降の処理に移行する。この画面は薬剤師の経験的から患者の年齢や症状を考慮して、薬剤師の判断で、配分するかどうかを設定できる画面であり、経験年数の長いベテランの薬剤師は自らの判断で、配分するかどうかを設定できるようになる。
１９０２は、錠剤供給ボタンである。選択（押下）されると錠剤取出ユニットまたは錠剤マスから錠剤が供給される。
１９０３は例えば朝、昼、夕の３回が１包ずつを７日分では２１包等、服用１回分を複数包に配分しない場合の総包数（単純合計）を設定する欄である。
１９０４は、服用時（朝、昼、夕の１日３回）を選択（押下）する欄である。
図２０を説明する。
図２０は操作メイン画面（図１９）において処方データの一覧リストから１つ選択された処方データの各項目（薬剤詳細）を個別に編集する画面である。
２１００は、薬剤詳細タブである。タブが選択されると図２０を表示する。
【００８８】
２１０１は、服用１回分の処方として薬包紙に分包するトータル錠剤数を受け付ける入力欄である（錠剤数受付手段）。図２０の場合を説明すると朝食後に１回分として服用された錠剤種別の数は２種類（セルベックスカプセルが２錠とティーエスワン配合カプセルが１錠）で、トータル錠剤数は３錠である。また昼食後に１回分として服用された錠剤種別の数は１種類『セルベックスカプセルが２錠』で、トータル錠剤数は２錠である。
【００８９】
例えばここで入力されたトータル錠剤数としてセルベックスカプセルが７錠である場合には１２０１が通知される。ここで入力された錠剤種別の数が４種類『セルベックスカプセルが１錠、ティーエスワン配合カプセルが１錠、ネオドパストン錠が１錠、エピレナート錠が１錠』である場合にも１２０２が通知される。
【００９０】
この画面は調剤薬局等の内部規約から患者の年齢や症状を考慮して、統一的な処方の基準により、配分すべきであることを薬剤師に誘導する画面であり、経験年数の浅い薬剤師に、調剤薬局内部規約から配分するべきことを通知できるようになる。
【００９１】
錠剤種別ごとに各服用時（朝食後、昼食後、夕食後）に服用する錠剤数を入力する欄である。錠剤種別ごとに錠剤数が朝食後、昼食後、夕食後の各欄に入力されると各服用タイミングに分けて薬包紙に分包すべき錠剤数（合計数または小計）として登録される。
【００９２】
つまりコンピュータ３は、錠剤種別ごとの固有名称１７０１が入力され、異なる錠剤種別の数１７０２が特定されることよって、１包の薬包紙に印字するべき処方種別の名称および該処方種別の数を受け付けている。
【００９３】
２１０２は、服用１回分の処方として薬包紙に分包する錠剤種別の名称（錠剤種別を識別するＩＤでもよい）と、この錠剤種別の種類数を受け付ける入力欄である（錠剤種別受付手段）。
【００９４】
錠剤種別ごとの固有名称が商品名の各欄に入力されることで、と各服用タイミングにおいてそれぞれ薬包紙に印字される錠剤種別の名称として登録される。またリストの数から異なる錠剤種別の数がいくつかを計算することができる。新しく錠剤種別の数が一覧リストに追加されると各服用タイミングにおいてそれぞれ薬包紙に印字すべき錠剤種別の数または分包すべき錠剤種別の数として登録される。
なお追加ボタンと削除ボタンにより、異なる錠剤種別の数を増減することができる。
【００９５】
２１０３は、ＰＴＰシートをセットまたは錠剤を手撒きで投入する位置を表している。錠剤は錠剤マスからの供給を意味する。ユニット１とは表示された番号の錠剤取出ユニット番号からの供給を意味する。
【００９６】
ＯＫボタンが押下されると、登録した内容を確定して画面を閉じる。また確定した内容は処方リスト一覧１８０１の中の処方データの１つとして登録される。さらに処方編集画面で入力した全ての設定内容（処方データの保存）を確定して画面を閉じる。
図２１を説明する。
図２１は印字コンピュータが実行するフローチャートの図である。
メイン画面（図１８）で処方編集ボタン１８０３が押下されると以下の処理が始まる。
ステップＳ２２０１では分包モードＮｏ、印字モードＮｏの変数を空欄にした表をＲＡＭ２５０３に作成（記憶）する。
ステップＳ２２０２では受け付けた錠剤数を配分して複数包の薬包紙にそれぞれ分包するかを薬剤師に選択させることができる画面（図１９）を表示する。
【００９７】
ステップＳ２２０３では図１９で設定された第１の分割受付情報１９０１により、受け付けた錠剤数を配分して複数包の薬包紙にそれぞれ分包する（ＹＥＳ）かいなか（ＮＯ）を受け付ける（第１の分割受付手段）。
【００９８】
ステップＳ２２０４ではＳ２２０３でそれぞれ分包しない（ＮＯ）と受け付けた場合には受け付けた全数を１包の薬包紙に分包する分包データを生成する（分包データ生成手段）。分包モード＝０をＳ１３０１で作成したＲＡＭの変数表に記憶する。
ステップＳ２２０５では受け付けた錠剤種別数がコンピュータに予め定義されている錠剤種別数を超過するかいなかを判定する（錠剤種別判定手段）。
【００９９】
ステップＳ２２０６ではＳ２２０５で超過する（ＹＥＳ）と判定された場合には、受け付けた全数を１包の薬包紙に分包するか、あるいは受け付けた錠剤数を配分して複数包の薬包紙にそれぞれ分包するかいなかをユーザに再び選択させる第２の分割受付画面１２０２を通知する（第２の通知手段）。
【０１００】
ステップＳ２２０７では決定ボタンが押下されたかの判断分岐である。決定ボタンが押下された場合はＳ２２０８へ遷移し、押下されない場合はＳ２２０７へ遷移する。
【０１０１】
ステップＳ２２０８では第２の分割受付画面１２０２を介して、受け付けた錠剤数を配分して複数包の薬包紙にそれぞれ分包する（ＹＥＳ）かいなか（ＮＯ）を受け付ける（第２の分割受付手段）。
ステップＳ２２０９では印字モード＝３をＳ２２０１で作成したＲＡＭの変数表に記憶する。
ステップＳ２２１０では印字モード＝０をＳ２２０１で作成したＲＡＭの変数表に記憶する。
【０１０２】
ステップＳ２２１１ではＳ２２０３でそれぞれ分包する（ＹＥＳ）と受け付けた場合には受け付けた錠剤数を配分して複数包の薬包紙にそれぞれ分けて分包する分包データを生成する（分包データ生成手段）。
【０１０３】
ステップＳ２２１２ではＳ２２０３でそれぞれ分包する（ＹＥＳ）と受け付けたあとに、受け付けた錠剤種別数がコンピュータの記憶部に予め定義されている錠剤種別数を超過するかいなかを判定する（錠剤種別判定手段）。
ステップＳ２２１３では印字モード＝１をＳ２２０１で作成したＲＡＭの変数表に記憶する。
【０１０４】
ステップＳ２２１４ではＳ２２１２で予め定義されている錠剤種別数を超過する（ＹＥＳ）と判定された場合には、１包毎に錠剤種別が区分できるように受け付けた錠剤数を受け付けた錠剤種別毎に配分し、かつ錠剤種別毎に配分された錠剤数を複数包の薬包紙にそれぞれ分けて分包する分包データ（分包モード＝２のパターン）を生成する（第２の分包データ生成手段）。さらにＳ１３１０でそれぞれ分包する（ＹＥＳ）と受け付けた場合には、分包データ（分包モード＝２のパターン）を決定する。分包モード＝２をＳ１３０１で作成したＲＡＭの変数表に記憶する。
【０１０５】
ステップＳ２２１５では１包毎に錠剤種別が区分できるように受け付けた全ての錠剤種別の名称を複数包の薬包紙にそれぞれ配分して印字する印字データ（印字モード＝２のパターン）を生成する（印字データ生成手段）。印字モード＝２をＳ１３０１で作成したＲＡＭの変数表に記憶する。
図２２は印字コンピュータ３のハードウエア構成図を示す図である。
【０１０６】
図２２において、２５０１はＣＰＵで、システムバス２５０４に接続される各デバイスやコントローラを統括的に制御する。また、ＲＯＭ２５０２あるいは外部メモリ２５１１には、ＣＰＵ２５０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。
【０１０７】
２５０３はＲＡＭ（記憶部）であり、ＣＰＵ２５０１の主メモリ、ワークエリア等として機能する。ＣＰＵ２５０１は、処理の実行に際して必要なプログラム等をＲＯＭ（記憶部）２５０２あるいは外部メモリ（記憶部）２５１１からＲＡＭ２５０３にロードして、該ロードしたプログラムを実行することで各種動作を実現するものである。
【０１０８】
２５０５は入力コントローラで、キーボード（ＫＢ）２５０９や不図示のマウス等のポインティングデバイス等からの入力を制御する。２５０６はビデオコントローラで、表示部２５１０への表示を制御する。なお、表示部２５１０はＣＲＴだけでなく、液晶ディスプレイ等の他の表示器であってもよい。これらは必要に応じて管理者が使用するものである。また表示部は指やペン等にてユーザが表示画面内の対象位置を指定するタッチパネル機能を含むものであってもよい。
【０１０９】
２５０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２５１１へのアクセスを制御する。
【０１１０】
２５０８は通信Ｉ／Ｆコントローラで、ネットワーク（通信貝回線）２を介して外部装置と接続・通信するものであり、ネットワークでの通信制御処理を実行する。例えば、ＴＣＰ／ＩＰを用いた通信等が可能である。
【０１１１】
なお、ＣＰＵ２５０１は、例えばＲＡＭ２５０３内の表示情報用領域へアウトラインフォントの展開（ラスタライズ）処理を実行することにより、ＣＲＴ上での表示を可能としている。また、ＣＰＵ２５０１は、ＣＲＴ上の不図示のマウスカーソル等でのユーザ指示を可能とする。
【０１１２】
本発明を実現するための後述する各種プログラムは、外部メモリ２５１１に記録されており、必要に応じてＲＡＭ２５０３にロードされることによりＣＰＵ２５０１によって実行されるものである。さらに、上記プログラムの実行時に用いられるデータファイル及びデータテーブル等も、外部メモリ２５１１または記憶部に格納されている。
【０１１３】
また、本発明におけるプログラムは、フローチャートの制御処理を印字コンピュータ３が読み取り実行可能なプログラムであり、本発明の記憶媒体はフローチャートの処理方法を実行可能なプログラムとして記憶している。
（本発明の他の実施形態）
【０１１４】
以上のように、前述した実施形態の機能を実現するプログラムを記録した記録媒体を、薬剤分包システムあるいは分包装置５や錠剤供給装置１０の本体が記憶し、そのシステムあるいは装置内のコンピュータ（またはＣＰＵやＭＰＵ）が記録媒体に格納されたプログラムを読出し実行することによっても、本発明の目的が達成されることは言うまでもない。
【０１１５】
この場合、記録媒体から読み出されたプログラム自体が本発明の新規な機能を実現することになり、そのプログラムを記憶した記録媒体は本発明を構成することになる。
【０１１６】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【０１１７】
また、読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【０１１８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１１９】
また、本発明は、複数の機器から構成されるシステムに適用しても、１つの機器からなる装置に適用してもよい。また、本発明は、システムあるいは装置本体にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１２０】
さらに、本発明を達成するためのプログラムをネットワーク上のサーバ，データベース等から通信プログラムによりダウンロードして読み出すことによって、そのシステムあるいは装置が、本発明の効果を享受することが可能となる。
なお、上述した各実施形態およびその変形例を組み合わせた構成も全て本発明に含まれるものである。
【符号の説明】
【０１２１】
１        錠剤取出しユニット（錠剤供給ユニット）
３        印字コンピュータ（印字ソフトウエア）
５        薬剤包装装置（分包装置）
１０      錠剤供給装置
１７      検出機構
１８      錠剤シートが載置される載置台
２４      導入シュート
３０      排出口
３９      下部ローラ
５０      錠剤
５１      錠剤シート（ＰＴＰシート）
５２      錠剤収容部
８３      内部押圧体
８４      外部押圧体
９３      第１昇降体  
９４      カム
９８      第２昇降体
９９      カム
１０３    錠剤マス（錠剤供給ユニット）
１０４    タッチパネルＬＣＤ
２０３    ＰＴＰシート投入口
２０４    光学センサ
４００    錠剤供給路
４０１    錠剤導入路
５０５    メインホッパ
７０１    分包装置内の包装ユニット
７０２    ロール紙送出機構
７０３    包装機構（分包部）
７０４    包装機構（分包部）
７０５    分断機構
７０６    プリンタ（印字部）
【図１】
2014213116.tif 000003
【図２】
2014213116.tif 000004
【図３】
2014213116.tif 000005
【図４】
2014213116.tif 000006
【図５】
2014213116.tif 000007
【図６】
2014213116.tif 000008
【図７】
2014213116.tif 000009
【図８】
2014213116.tif 000010
【図９】
2014213116.tif 000011
【図１０】
2014213116.tif 000012
【図１１】
2014213116.tif 000013
【図１２】
2014213116.tif 000014
【図１３】
2014213116.tif 000015
【図１４】
2014213116.tif 000016
【図１５】
2014213116.tif 000017
【図１６】
2014213116.tif 000018
【図１７】
2014213116.tif 000019
【図１８】
2014213116.tif 000020
【図１９】
2014213116.tif 000021
【図２０】
2014213116.tif 000022
【図２１】
2014213116.tif 000023
【図２２】
2014213116.tif 000024